(57)【要約】【課題】コネクタの嵌合作業を円滑に進め、組み立ての作業性を改善する。【解決手段】コネクタ１０は、ソレノイド４０に設置された相手ハウジング８０に嵌合可能なハウジング２０と、ソレノイド４０が組み込まれるバルブボディ５０の位置する側に配置されて、ハウジング２０を嵌合方向と交差する方向に揺動可能に支持するものであり、バルブボディ５０にソレノイド４０が組み込まれるのに伴い、ハウジング２０を、相手ハウジング８０との嵌合状態に至らす揺動支持部６１とを備えている。【選択図】図３
2015153661.tif 000002
【特許請求の範囲】
【請求項１】
ソレノイドに設置された相手ハウジングに嵌合可能なハウジングと、
前記ソレノイドが組み込まれるバルブボディの位置する側に配置されて、前記ハウジングを嵌合方向と交差する方向に揺動可能に支持するものであり、前記バルブボディに前記ソレノイドが組み込まれるのに伴い、前記ハウジングを、前記相手ハウジングとの嵌合状態に至らす揺動支持部とを備えていることを特徴とするコネクタ。
【請求項２】
前記揺動支持部は、前記ハウジングから引き出された電線を覆うカバーに一体に設けられていることを特徴とする請求項１記載のコネクタ。
【請求項３】
前記ハウジングの両側面には、一対の翼部が突出して設けられ、前記揺動支持部は、前記翼部を包囲する一対の包囲部を有し、前記包囲部内に前記翼部が変位可能に収容されていることを特徴とする請求項１又は２記載のコネクタ。
【発明の詳細な説明】
【技術分野】
【０００１】
本発明は、コネクタに関する。
【背景技術】
【０００２】
特許文献１のコネクタは、相手ハウジング（レセプタクルコネクタハウジング）に嵌合可能なハウジング（プラグコネクタハウジング）を備えている。ハウジングは、複数の弾性係合部を有している。そして、ハウジングは、パネル隔壁に設けられた穴部に挿入され、各弾性係止部が穴部の周縁部に当接することで、パネル隔壁に対して嵌合方向と直交する方向に揺動可能に支持されるようになっている。
【先行技術文献】
【特許文献】
【０００３】
【特許文献１】特開２００５−１９０７２０号公報
【発明の概要】
【発明が解決しようとする課題】
【０００４】
上記従来のコネクタは、ハウジングがパネル隔壁の穴部に挿入された状態で、ハウジングが各弾性係止部を介して嵌合方向と直交する方向に揺動変位することにより、両ハウジングの嵌合誤差を吸収できるようになっている。したがって、パネル隔壁の穴部に相当する構造を有しないものには、上記コネクタの技術を実質的に適用することができないという事情がある。例えば、電子制御ユニットや油圧センサ等とともにコネクタが搭載される自動変速機の油圧制御装置の場合、全体の構成が複雑になるため、相手ハウジングに対するハウジングの嵌合作業に手間取ると、他の部品の組み付け作業にも支障を来たし、作業効率が大幅に低下するという問題がある。
【０００５】
本発明は上記のような事情に基づいて完成されたものであって、コネクタの嵌合作業を円滑に進め、組み立ての作業効率を改善することを目的とする。
【課題を解決するための手段】
【０００６】
本発明は、ソレノイドに設置された相手ハウジングに嵌合可能なハウジングと、前記ソレノイドが組み込まれるバルブボディの位置する側に配置されて、前記ハウジングを嵌合方向と交差する方向に揺動可能に支持するものであり、前記バルブボディに前記ソレノイドが組み込まれるのに伴い、前記ハウジングを、前記相手ハウジングとの嵌合状態に至らす揺動支持部とを備えているところに特徴を有する。
【発明の効果】
【０００７】
バルブボディにソレノイドが組み込まれると、ハウジングと相手ハウジングとが嵌合状態に至るため、ソレノイドの組み込み作業とコネクタの嵌合作業とを別々に行う必要がなく、組み立ての作業効率が改善される。ソレノイドがバルブボディに組み込まれる際に、仮に、ハウジングが相手ハウジングとの正規の嵌合位置から位置ずれしていても、揺動支持部によってハウジングの位置ずれが吸収されるため、コネクタの嵌合作業を円滑に進めることができる。
【図面の簡単な説明】
【０００８】
【図１】本発明の実施例１のコネクタにおいて、ソレノイドの組み付け前、相手ハウジングにハウジングが対向して配置された状態を示す斜視図である。
【図２】ソレノイドの組み付けに伴い、相手ハウジングにハウジングが正規嵌合された状態を示す斜視図である。
【図３】図２の平面視方向の断面図である。
【図４】図２の側面視方向の断面図である。
【図５】カバーに設けられた複数の揺動支持部に揺動支持されたハウジングを示す斜視図である。
【図６】コネクタを正面側から見た斜視図である。
【図７】コネクタを背面側から見た斜視図である。
【図８】コネクタを背面側から見た断面図である。
【図９】図８のＡ−Ａ線断面図である。
【図１０】ハウジングを正面側から見た斜視図である。
【図１１】ハウジングを背面側から見た斜視図である。
【図１２】ハウジングの背面図である。
【発明を実施するための形態】
【０００９】
本発明の好ましい形態を以下に示す。
前記揺動支持部は、前記ハウジングから引き出された電線を覆うカバーに一体に設けられている。これによれば、揺動支持部とカバーとが別々に設けられる場合に比べ、構成が簡素化されるとともに、部品点数が削減される。
【００１０】
前記ハウジングの両側面には、一対の翼部が突出して設けられ、前記揺動支持部は、前記翼部を包囲する一対の包囲部を有し、前記包囲部内に前記翼部が変位可能に収容されている。これによれば、揺動支持部を比較的簡単な構成にすることができる。
【００１１】
＜実施例＞
本発明の実施例を図面に基づいて説明する。本実施例のコネクタ１０は、自動車のオートマチックトランスミッションの油圧制御装置９０に設けられる場合を例示するものであって、合成樹脂製のハウジング２０と、同じく合成樹脂製のカバー６０とを備えている。
【００１２】
図１及び図２に示すように、油圧制御装置９０は、詳細は図示しないが、カバー６０と、そのカバー６０に高さ方向に積層状に配置されるバルブボディ５０とを備えている。バルブボディ５０には、複数のソレノイド４０が組み込まれる。ハウジング２０は、カバー６０に、ソレノイド４０の個数に応じて複数設置されている。
【００１３】
図１に示すように、ソレノイド４０は、略円筒状をなし、電磁部４１と電磁部４１から突出する弁部４２とを有している。電磁部４１の外周面には、ハウジング２０の嵌合相手となる相手ハウジング８０が高さ方向に突出して設けられている。一方、バルブボディ５０には、ソレノイド４０の弁部４２が挿入される複数のバルブ挿入部５１が設けられている。バルブ挿入部５１は、弁部４２との間に油圧制御のための油圧回路を構成する。
【００１４】
バルブボディ５０にソレノイド４０を組み込むに際し、バルブ挿入部５１がソレノイド４０と正対した状態で、且つハウジング２０も相手ハウジング８０と正対した状態になっていれば、ソレノイド４０の組み込み作業とコネクタ１０の嵌合作業とを同時に行うことが可能となる。しかし、ハウジング２０が相手ハウジング８０との間に嵌合誤差を有していると、ソレノイド４０の組み込み作業とコネクタ１０の嵌合作業とを同時に行うことができない。これに鑑み、本実施例のコネクタ１０においては、ハウジング２０と相手ハウジング８０との嵌合誤差を吸収する機構として、図５に示すように、カバー６０に、複数の揺動支持部６１が設けられている。
【００１５】
揺動支持部６１は、図６〜図９に示すように、左右一対の包囲部６２と、幅方向（左右方向）に延びて両端が両包囲部６２に連結される連結部６３とを有している。包囲部６２は、略角箱状をなし、後面板６４と、後面板６４の前方に対向して配置される前面板６５と、前面板６５と後面板６４の上端間に架設される天面板６６と、天面板６６の外端から垂下する弾性片６７とからなる。後面板６４、前面板６５、及び弾性片６７は、いずれも平板状をなしている。包囲部６２は、図５に示すように、カバー６０の他の壁に一体に連結されているが、図６〜図８においては、カバー６０の他の壁に対する包囲部６２の連結構造が省略されている。図８及び図９に示すように、包囲部６２内には、ハウジング２０の後述する翼部２１が変位可能に収容される。
【００１６】
図６及び図７に示すように、弾性片６７は、後面板６４と前面板６５との間に一対のスリット６８を有し、両スリット６８間にて天面板６６の外端との連結部位を支点として撓み変形可能とされている。図８に示すように、弾性片６７の下端には、包囲部６２の内側へ向けて突出する保持突起６９が設けられている。図９に示すように、保持突起６９は、弾性片６７の下端に沿って前後方向に延びるリブ状の形態とされている。図８に示すように、天面板６６には、保持突起６９を成形する際に金型が通過するのに伴って貫通する型抜き孔７０が形成されている。
【００１７】
連結部６３は、後述するハウジング本体２２の幅寸法よりも若干大きい延出長さを有している。図６及び図７に示すように、包囲部６２の上面には、連結部６３と左右の天面板６６とに亘って平面視略門型に屈曲する立壁部７１が設けられている。包囲部６２における立壁部７１で囲まれる内側の空間には、ハウジング本体２２の後端部が収容される。本実施例の場合、揺動支持部６１は、バルブ挿入部５１と対応する位置毎に、バルブ挿入部５１と高さ方向に複数並んで配置されている。
【００１８】
続いて、ハウジング２０の具体的構造について説明する。図１０〜図１２に示すように、ハウジング２０は、前後方向に長い略角ブロック状のハウジング本体２２と、ハウジング本体２２の後端部の左右両側面から幅方向に突出する一対の板状の翼部２１とを有している。ハウジング本体２２には、端子金具１００（図３及び図４を参照）を挿入可能な２室のキャビティ２３が設けられている。図３及び図４に示すように、端子金具１００は電線２００の端末部に接続され、接続された電線２００はハウジング本体２２の後端から引き出される。また、ハウジング本体２２の後端から引き出された電線２００は、カバー６０内に収容され、その状態でカバー６０の内面に沿って所定方向（嵌合方向と交差する方向）に配索させられる。
【００１９】
図１０及び図１１に示すように、ハウジング本体２２の上面には、前端から立ち上がったあと後方に延びる撓み変形可能なロックアーム２４が設けられている。また、ハウジング本体２２の上面には、ロックアーム２４の後端部の両側方及び後方を囲むようにして保護部２５が立設されている。
【００２０】
図１０及び図１１に示すように、翼部２１は、ハウジング本体２２の側面に一体に連結されて、高さ方向に沿い且つ板面を前後方向に向けて配置される平板状の第１片部２６と、第１片部２６の外端に一体に連結されて、高さ方向に沿い且つ板面を幅方向に向けて配置される平板状の第２片部２７とを有する。第１片部２６と第２片部２７とは、互いに直交し、全体として平面視略Ｔ字形をなしている。図１２に示すように、両第２片部２７の下端には、ハウジング本体２２から離れる外側へ向けて張り出す張出部２８が設けられている。張出部２８は、第２片部２７の下端に沿って前後方向に延びるリブ状の形態とされている。
【００２１】
図１及び図３に示すように、相手ハウジング８０は、電磁部４１の外周面に沿った円弧状の底面を有する相手ハウジング部８１と、相手ハウジング部８１から弁部４２とほぼ平行に突出するフード部８２とを有している。図３に示すように、相手ハウジング部８１には、ソレノイド４０に電気的に接続される一対のタブ状の相手端子金具３００が装着されている。相手端子金具３００の先端部は、フード部８２内に突出して配置されている。
【００２２】
続いて、ソレノイド４０の組み込み作業と同期するコネクタ１０の嵌合作業について説明する。
揺動支持部６１内に下方からハウジング２０の後端部を挿入する（図５を参照）。ハウジング２０の挿入過程では、両弾性片６７が両翼部２１を摺動して外側に撓み変形させられる。ハウジング２０の正規挿入時には、ハウジング本体２２の後端部が立壁部７１内に配置されるとともに、両翼部２１が両包囲部６２内に挿入されて両弾性片６７が弾性復帰する。これにより、両翼部２１の張出部２８が両弾性片６７の保持突起６９に掛け止められて支持される（図８及び図９を参照）。また、両翼部２１は両包囲部６２内において幅方向及び上方に隙間Ｓを有して配置され、その隙間Ｓの範囲でハウジング２０は嵌合方向（前後方向）と交差する方向に揺動変位可能な状態となる。このとき、両翼部２１の第２片部２７の前端が両包囲部６２の前面板６５に当接し、両翼部２１の張出部２８が両弾性片６７の保持突起６９に当接することにより、ハウジング２０が前のめりに傾くのが防止される。また、両翼部２１の第２片部２７の後端が両包囲部６２の後面板６４に当接することにより、ハウジング２０が後退するのが防止される。そして、揺動支持部６１内にハウジング２０がフローティング支持された状態で、ハウジング２０から引き出された各電線２００がカバー６０の内面に沿って配索させられる。
【００２３】
続いて、上述したハウジング２０が複数装着されたカバー６０を、バルブボディ５０の上方に配置し、各ハウジング２０と各バルブ挿入部５１とを高さ方向に並列に配置する（図１を参照）。次いで、バルブ挿入部５１にソレノイド４０の弁部４２を挿入する（図２〜図４を参照）。このとき、バルブ挿入部５１にソレノイド４０の弁部４２が正対した状態で、且つハウジング２０に相手ハウジング８０が正対した状態にあれば、バルブ挿入部５１にソレノイド４０の弁部４２が正規深さで挿入されるのに伴い、相手ハウジング８０のフード部８２にハウジング２０のハウジング本体２２も正規嵌合されて、両ハウジング２０、８０が嵌合状態に保持される。このとき、ロックアーム２４がフード部８２の内面に弾性的に当接することにより、嵌合状態にある両ハウジング２０、８０のガタ付きが抑えられる。
【００２４】
一方、バルブ挿入部５１にソレノイド４０の弁部４２が正対した状態において、仮に、ハウジング２０に相手ハウジング８０が正対した状態になく、相手ハウジング８０に対するハウジング２０の嵌合軸が芯ずれ又は傾いていても、ハウジング本体２２の前端部がフード部８２内に誘い込まれて浅く挿入されることにより、ハウジング２０が包囲部６２内における翼部２１の隙間Ｓの範囲で揺動変位して、相手ハウジング８０との正規の嵌合位置に誘導させられる。両ハウジング２０、８０が正規嵌合されると、両端子金具１００、３００が正規状態で導通接続される。
【００２５】
上記の場合に、ハウジング２０が相手ハウジング８０の動きに応じて傾動し、翼部２１の第１片部２６がハウジング本体２２に対してねじれる方向に変形し且つそのねじれ状態を弾性的に解消することにより、相手ハウジング８０との位置ずれが円滑且つ適正に補正される。したがって、仮に、両ハウジング２０、８０の嵌合開始時に、ハウジング２０が相手ハウジング８０との間に位置ずれを生じていても、ソレノイド４０の組み込み作業と同期してコネクタ１０の嵌合作業を行うことができる。その後、ソレノイド４０は、固定手段（図示せず）を介して、バルブボディ５０に抜け止め状態に固定される。
【００２６】
以上説明したように、本実施例によれば、ソレノイド４０がバルブボディ５０に組み込まれると同時に、ハウジング２０が揺動支持部６１を介して相手ハウジング８０との正規の嵌合位置に至ることができるため、ソレノイド４０の組み込み作業とコネクタ１０の嵌合作業とを別々に行う必要がなく、組み立ての作業効率が改善される。とくに、ハウジング２０が揺動支持部６１によって嵌合方向と交差する方向に揺動変位可能な状態になっているため、ハウジング２０と相手ハウジング８０との間の位置ずれが適正に補正され、コネクタ１０の嵌合作業を円滑に進めることができる。
【００２７】
また、揺動支持部６１が電線２００を覆うカバー６０に設けられているため、カバー６０と揺動支持部６１とを別々に設ける必要がなく、全体の構成が簡素化されるとともに、部品点数が削減される。
【００２８】
＜他の実施例＞
本発明は上記記述及び図面によって説明した実施例に限定されるものではなく、例えば、次のような態様も本発明の技術的範囲に含まれる。
（１）揺動支持部は、ハウジングを嵌合方向と交差する方向に揺動可能に支持するものであればよく、カバーと一体に設けられていなくてもよい。
（２）揺動支持部の包囲部から弾性片が省略されて、揺動支持部の包囲部に、弾性片の代わりに実質的に撓み変形不能な掛止片が設けられ、ハウジングの翼部に、弾性片に相当する構造を有して掛止片に弾性的に係止される部分を設けてもよい。
（３）ハウジングの翼部は実質的に撓み変形不能な剛性を有するものであってもよい。例えば、翼部は、ブロック状に形成されるものであってもよい。
【符号の説明】
【００２９】
１０…コネクタ
２０…ハウジング
２１…翼部
４０…ソレノイド
５０…バルブボディ
６０…カバー
６１…揺動支持部
６２…包囲部
８０…相手ハウジング
１００…端子金具
２００…電線
【図１】
2015153661.tif 000003
【図２】
2015153661.tif 000004
【図３】
2015153661.tif 000005
【図４】
2015153661.tif 000006
【図５】
2015153661.tif 000007
【図６】
2015153661.tif 000008
【図７】
2015153661.tif 000009
【図８】
2015153661.tif 000010
【図９】
2015153661.tif 000011
【図１０】
2015153661.tif 000012
【図１１】
2015153661.tif 000013
【図１２】
2015153661.tif 000014